(57)【要約】【課題】デジタルテレビ放送受信装置からの画像と、コンピュータからの画像とを、それぞれが専用のディスプレイから表示されている場合と同程度のサイズおよび画質で、同一のテレビ受像機の画面から出力すること。【解決手段】デジタルテレビ放送受信装置２からの画像とコンピュータ１からの画像とを同一のテレビ受像機４の画面から出力する方法であって、コンピュータからの画像信号を、テレビ受像機に備えられ、デジタルテレビ放送受信装置からのテレビ画像信号が入力されるコンポーネント端子またはＤ端子に入力することが可能なコンポーネント画像信号に変換する。そして、この変換されたコンポーネント画像信号と、テレビ画像信号とを、コンポーネント端子またはＤ端子に入力することによって、同一のテレビ受像機の画面から、デジタルテレビ放送受信装置からの画像と、コンピュータからの画像とを出力する。【選択図】      図１
2005278124.tif 000002
【特許請求の範囲】
【請求項１】
デジタルテレビ放送受信装置からの画像とコンピュータからの画像とを同一のテレビ受像機の画面から出力する方法であって、
前記コンピュータからの画像信号を、前記テレビ受像機に備えられ、前記デジタルテレビ放送受信装置からのテレビ画像信号が入力されるコンポーネント端子またはＤ端子に入力することが可能なコンポーネント画像信号に変換し、
この変換されたコンポーネント画像信号と、前記テレビ画像信号とを、前記コンポーネント端子またはＤ端子に入力することによって、前記同一のテレビ受像機の画面から、前記デジタルテレビ放送受信装置からの画像と、前記コンピュータからの画像とを出力するようにした方法。
【請求項２】
請求項１に記載の方法において、
前記コンピュータからの画像のサイズが、前記テレビ受像機の画面サイズに一致するように、前記コンピュータからの画像信号を、前記コンポーネント画像信号に変換するようにした方法。
【請求項３】
デジタルテレビ放送受信装置からの画像とコンピュータからの画像とを同一のテレビ受像機の画面から出力するシステムであって、
前記コンピュータからの画像信号を、前記テレビ受像機に備えられ、前記デジタルテレビ放送受信装置からのテレビ画像信号が入力されるコンポーネント端子またはＤ端子に入力することが可能なコンポーネント画像信号に変換する変換手段と、
前記変換手段によって変換されたコンポーネント画像信号と、前記テレビ画像信号とを、前記コンポーネント端子またはＤ端子に入力することによって、前記同一のテレビ受像機の画面から、前記デジタルテレビ放送受信装置からの画像と、前記コンピュータからの画像とを出力する出力手段と
を備えてなるシステム。
【請求項４】
請求項３に記載のシステムにおいて、
前記変換手段は、前記コンピュータからの画像のサイズが、前記テレビ受像機の画面サイズに一致するように、前記コンピュータからの画像信号を、前記コンポーネント画像信号に変換するようにしたシステム。
【発明の詳細な説明】
【技術分野】
【０００１】
本発明は、例えばホテルや旅館等の宿泊施設、あるいは病院施設等で、利用者が視聴および操作するデジタルテレビ放送受信装置からの画像と、コンピュータからの画像とを同一のテレビ受像機の画面から出力する方法に関するものである。
【背景技術】
【０００２】
ＢＳあるいは１１０°ＣＳによるデジタル放送や、地上波デジタル放送を視聴する場合は、各々のデジタル放送受信に対応したテレビ受像機またはデジタルチューナおよびデジタルセットトップボックス（以下、「ＳＴＢ」と称する）などのデジタル放送受信装置で視聴する。
【０００３】
そして、デジタルテレビ放送受信装置で受信する場合には、画像出力をテレビ受像機のコンポーネント端子またはＤ端子に接続し、ハイビジョン放送番組などを視聴している。
【０００４】
一方、コンピュータは、アナログ信号の場合には専用ディスプレイのＲＧＢ(Red-Green-Blue)端子に、デジタル信号の場合には専用ディスプレイのＤＶＩ(Digital Visual Interface)端子にそれぞれ接続することによって、専用ディスプレイの画面から画像を表示している。
【０００５】
あるいは、ダウンスキャンコンバータでＲＧＢ信号をＮＴＳＣ(National Television Standards Committee)信号に変換し、テレビ受像機のコンポジット端子に接続することによって、テレビ受信機の画面から画像を出力している。
【０００６】
このようなテレビ受像機には、コンポジット端子も一般的には備えられているが、このコンポジット端子は解像度が低いために、高精細なハイビジョン放送番組の視聴に用いることはできない。
【０００７】
なお、コンポーネント端子またはＤ端子と、ＲＧＢ端子またはＤＶＩ端子とを備えたテレビ受像機も一部には存在している。
【発明の開示】
【発明が解決しようとする課題】
【０００８】
しかしながら、ホテルや旅館等の宿泊施設、あるいは病院施設等で、利用者が視聴や操作するデジタルテレビ放送受信装置からの画像と、コンピュータからの画像とを同一画面から出力するために、コンポーネント端子またはＤ端子と、ＲＧＢ端子またはＤＶＩ端子とを備えたテレビ受像機を使用した場合、デジタルテレビ放送受信装置やコンピュータの操作以外にテレビの操作で入力切換を行う必要が生じる。このため、利用者が行う操作が煩雑となり、利用者に不便さを感じさせる恐れが生じる。
【０００９】
また、コンポーネント端子またはＤ端子を備えているものの、ＲＧＢ端子またはＤＶＩ端子を備えていないテレビ受信機の場合、コンピュータ画像の高精細な画像を出力することができないという問題がある。
【００１０】
更に、一般的に、民生用のテレビ受像機は、画像信号のおおよそ１０％程度ブランキング直後のリンギングや周辺歪みを見えなくするためや、テレビ受像機の個体のばらつきを考慮してオーバースキャンを行っている。
【００１１】
一方、コンピュータ用の専用ディスプレイは、コンピュータの画像を全域表示するようにしている。したがって、コンピュータの画像出力を、そのまま、コンポーネント端子用の画像信号でテレビ受像機に出力した場合には、テレビ受像機の画面サイズから画像がはみ出してしまい、画面から表示されない部分が生じるという問題がある。
【００１２】
本発明はこのような事情に鑑みてなされたものであり、デジタルテレビ放送受信装置からの画像と、コンピュータからの画像とを、それぞれが専用のディスプレイから表示されている場合と同程度のサイズおよび画質で、同一のテレビ受像機の画面から出力することが可能な方法およびシステムを提供することを目的とする。
【課題を解決するための手段】
【００１３】
上記の目的を達成するために、本発明では、以下のような手段を講じる。
【００１４】
すなわち、本発明は、デジタルテレビ放送受信装置からの画像とコンピュータからの画像とを同一のテレビ受像機の画面から出力する方法であって、コンピュータからの画像信号を、テレビ受像機に備えられ、デジタルテレビ放送受信装置からのテレビ画像信号が入力されるコンポーネント端子またはＤ端子に入力することが可能なコンポーネント画像信号に変換する。更に、この変換されたコンポーネント画像信号と、テレビ画像信号とを、コンポーネント端子またはＤ端子に入力することによって、同一のテレビ受像機の画面から、デジタルテレビ放送受信装置からの画像と、コンピュータからの画像とを出力する。
【００１５】
従って、このような発明においては、以上のような手段を講じることにより、コンピュータ画像用のＲＧＢ端子またはＤＶＩ端子を備えておらず、コンポーネント端子またはＤ端子のみを備えたテレビ受像機であっても、コンピュータからの画像を、コンポーネント端子またはＤ端子に入力することが可能なコンポーネント画像信号に変換することができる。したがって、このテレビ受像機は、デジタルテレビ放送受信装置からの高精細なハイビジョン番組等のみならず、コンピュータからの画像をも、コンピュータ専用ディスプレイと同様に高精細で表示することが可能となる。
【００１６】
更に本発明は、コンピュータからの画像のサイズが、テレビ受像機の画面サイズに一致するように、コンピュータからの画像信号を、コンポーネント画像信号に変換する。
【００１７】
従って、この場合、コンピュータからの画像の全域を、テレビ受像機の画面サイズに納めることができ、文字、静止画、あるいは動画等の欠落をなくすことが可能となる。
【発明の効果】
【００１８】
本発明によれば、デジタルテレビ放送受信装置からの画像と、コンピュータからの画像とを、それぞれが専用のディスプレイから表示されている場合と同程度のサイズおよび画質で、同一のテレビ受像機の画面から出力することが可能となる。
【発明を実施するための最良の形態】
【００１９】
以下に、本発明を実施するための最良の形態について、本発明の実施の形態に係る方法を、ホテル施設館内でデジタルテレビ放送受信装置とコンピュータとをセットで設置し、デジタルテレビ放送受信装置からの画像と、コンピュータからの画像とを、同一のテレビ受像機の画面から出力するシステムについて、図面を参照して説明する。
【００２０】
図１は、各々の客室７にコンピュータ１とデジタルテレビ放送受信装置２とをセットで設置した状態を示す構成例を示すブロック図である。
【００２１】
すなわち、本発明の実施の形態に係る方法を適用した客室７には、コンピュータ１と、デジタルテレビ放送受信装置２と、このデジタルテレビ放送受信装置２を操作するためのリモートコントローラ（以下、「リモコン」と称する）３と、コンピュータ１およびデジタルテレビ放送受信装置２からの画像を表示するテレビ受像機４とを設置している。
【００２２】
コンピュータ１は、ホテル館内のＬＡＮ回線網５に接続され、このＬＡＮ回線網５を介してメールの送受信、インターネットとの接続や映画などのストリーミング受信等を行う。
【００２３】
デジタルテレビ放送受信装置２は、ホテル館内共聴の同軸伝送ライン６を経由してＢＳデジタル放送・１１０°ＣＳデジタル放送および地上波デジタル放送を受信する。
【００２４】
テレビ受像機４は、デジタルテレビ放送受信装置２から、またはデジタルテレビ放送受信装置２を経由してコンピュータ１から出力された画像信号を表示する。
【００２５】
図２は、上記コンピュータ１の機能構成をより詳細に示したブロック図である。すなわちコンピュータ１は、制御部１０と、変換部１１と、画像出力端子１２と、接続端子１３と、通信端子１４とを備えている。
【００２６】
制御部１０は、Ｂｉｏｓ(Basic Input/ Output System)、ＯＳ(Operating System)およびアプリケーションプログラムをメモリに格納して全体を制御する。この制御部１０は、ＰＣ／ＡＴ(Persona1 Computer/ Advanced Technology)互換である。また、ＲＧＢ信号を変換部１１へと出力する。更に、ＬＡＮ回線への接続端子１３を介してＬＡＮ回線網（図示せず）と接続している。更にまた、通信端子１４を介して、ＲＳ−２３２Ｃのシリアル通信によって、デジタルテレビ放送受信装置２と所定の情報を相互に伝送する。
【００２７】
変換部１１は、制御部１０から出力されたＲＧＢ信号を、コンポーネントの画像信号に変換し、この変換した画像信号を画像出力端子１２を経由して外部へと出力する。
【００２８】
図３は、上記デジタルテレビ放送受信装置２の機能構成をより詳細に示したブロック図である。すなわちデジタルテレビ放送受信装置２は、分波器２１と、デジタル放送受信部２２と、切換部２３と、画像出力端子２４と、画像入力端子２５と、高周波モデム２６と、制御部２７と、受信ユニット２８と、磁気カードリーダ・ライタ２９と、通信端子３０とを備えている。
【００２９】
分波器２１は、ホテル施設館内の同軸伝送ライン６から送られてきた信号を、ＢＳ・１１０°ＣＳデジタル放送の中間周波信号および地上デジタル放送の信号と、当該ホテル施設のフロントなどに設置され、各々の客室７に設置されたデジタルテレビ放送受信装置２およびコンピュータ１を制御・管理するフロントコンピュータ（図示せず）とＦＳＫ方式で通信するデータ信号とに分波する。そして、ＢＳ・１１０°ＣＳデジタル放送の中間周波信号および地上デジタル放送の信号を、デジタル放送受信部２２へと出力する。一方、上記データ信号を、高周波モデム２６へと出力する。
【００３０】
デジタル放送受信部２２は、ＢＳ・１１０°デジタルチューナ、地上波デジタルチューナ、およびＡＶデコーダ（共に図示せず）を備えており、後述する制御部２７からの選局指示信号に基づいて、リモコン３での選局操作に対応したチャンネルを、このＢＳ・１１０°ＣＳデジタルチューナまたは地上波デジタルチューナで選局すると、該当するチャンネルのトランスポートストリーム（ＴＳ）を復調し、ＡＶデコーダにより画像データと音声データを生成後、この画像データをＤ４フォーマットで切換部２３へと出カする。
【００３１】
切換部２３には、デジタル放送受信部２２からのＤ４フォーマットによる画像データと、画像入力端子２５を介してなされるコンピュータ１からの画像信号とが入力されるようにしている。そして、画像データまたは画像信号の何れかを画像出力端子２４に出力する訳であるが、これは制御部２７からの切換制御信号によって選択されるようにしている。
【００３２】
画像出力端子２４は、テレビ受像機４の図示しない画像入力用Ｄ４端子に接続されている。したがって、切換部２３から画像出力端子２４に出力されたデジタル放送受信部２２からの画像データか、またはコンピュータ１からの画像信号かが、画像入力用Ｄ４端子からテレビ受像機４に入力され、この画面から表示されるようにしている。
【００３３】
高周波モデム２６は、分波器２１からのデータ信号を復調して受信データを得、この受信データを制御部２７へと伝送する。また、制御部２７からの送信データを変調し、この変調した送信データを、分波器２１から同軸伝送ライン６を経由して上記フロントコンピュータへと送出する。
【００３４】
制御部２７は、デジタル放送受信部２２と、高周波モデム２６と、リモコン３が送信する選択信号を受信する受信ユニット２８と、磁気カードリーダ・ライタ２９と、通信端子３０と接続しており、デジタルテレビ放送受信装置２全体の制御を司る。
【００３５】
受信ユニット２８は、リモコン３から、リモコン３の操作に対応した赤外線変調された操作信号を受信して復調する。そして、この復調した操作信号を制御部２７へ伝送する。すると制御部２７は、この操作信号に応じて、デジタル放送受信部２２に対して選局指示信号を出力するか、または切換部２３に対して切換制御信号を出力する。
【００３６】
磁気カードリーダ・ライタ２９は、常時はこのホテルの客室７を利用する利用者（宿泊客等）が有料番組を視聴する際のプリペイドカードを挿入する。磁気カードリーダ・ライタ２９にプリペイドカードが挿入され、利用者によって有料番組が視聴されると、制御部２７は、その料金に応じた度数を減算してプリペイドカードを図示しない排出ボタン等で排出する時に残度数データ等を書き込む。また、この磁気カードリーダ・ライタ２９に、デジタルテレビ放送受信装置２等の動作に関わる各種の設定データを記録した設定カードが挿入された場合には、制御部２７からの操作によって、新たな設定データの記録や、既に記録されている設定データの更新がなされるようにしている。
【００３７】
通信端子３０は、コンピュータ１とＲＳ−２３２Ｃの通信で接続されており、コンピュータ１とデジタルテレビ放送受信装置２との相互のデータ転送を行う。
【００３８】
次に、以上のように構成した本発明の実施の形態に係る方法の動作について説明する。
【００３９】
デジタルテレビ放送受信装置２の電源を通電し、リモコン３の図示しない電源ボタンを押しＯＮ状態とした時点では、切換部２３はデジタル放送受信部２２からの画像データを画像出力端子２４に接続している。つまりデジタルテレビ放送受信装置２のデジタル放送受信部２２が出力する画像データがテレビ受像機４に入力される。
【００４０】
それに対し、コンピュータ１からの画像信号をテレビ受像機４に入力する場合には、リモコン３の図示しないＰＣ／テレビ切換ボタンを押す。すると、この操作に対応した赤外線変調信号が受信ユニット２８によって受信され、ここで操作信号に復調された後に制御部２７に伝送される。そして、制御部２７によってこの操作信号に基づいて切換制御信号が生成され、切換部２３に伝送される。このようにして切換部２３に切換制御信号が伝送されると、画像入力端子２５を介して伝送されているコンピュータ１からの画像信号が、画像出力端子２４を介してテレビ受像機４に入力されるようになる。
【００４１】
そして、利用者がコンピュータ１を操作し、インターネットなどとの接続を行うと、コンピュータ１の制御部１０から出力される画像のＲＧＢ信号は、変換部１１においてコンポーネントの画像信号へと変換され、画像出力端子１２から出力されることによって、デジタルテレビ放送受信装置２の画像入力端子２５から切換部２３に入力される。上述したように、切換部２３では、コンピュータ１からの画像信号が画像出力端子２４を介してテレビ受像機４に入力されるようにしているので、切換部２３に入力されたコンピュータ１からの画像信号は、テレビ受像機４に入力される。
【００４２】
しかしながら、前述したように、コンピュータの出力画像を、テレビ受像機４の画面からそのままコンポーネントの画像信号で出力した場合には、テレビ受像機４が画像信号をオーバースキャンしていることにより、画面からはみ出すことになり画像の全域が表示されない。
【００４３】
これは、次のようにして解決するようにしている。すなわち、コンピュータ１の制御部１０内のＢｉｏｓメモリに、図５に示すような画像出力の解像度を示すテーブルデータを備えておく。ここで、データＡに該当する１２８０×７２０の解像度を、Ｄ４フォーマットの標準としている。コンピュータ１からの画像信号をテレビ受像機４に直接入力した場合には、例えば図４（ａ）に示すように、図中黒枠で示す部分が画面内に入らず、例えば図４（ａ）中に示すＸＹＺの文字のように欠けなどが生じる。
【００４４】
よって、コンピュータ１からの画像信号を画面から表示する場合には、アンダースキャンを行ない、テレビ受像機４の画面サイズ内に全域を表示させるようにする必要が生じる。アンダースキャンを行う解像度は、固定的で良いように思われるが、図５に示すデータＡ〜Ｊが存在するのは各種のテレビ受像機４の個体差などを考慮し、デフォルト値は持つものの、これらデータＡ〜Ｊのうちの何れかに設定することを可能としている。
【００４５】
図４（ｂ）は、データＧの解像度１１６８×６５６をデフォルト値とした場合のテレビ画面の一例を示している。このようにテレビ画面のサイズに合わせてアンダースキャンを行うことで、図４（ａ）において画面からはみ出していた黒枠部分を含めてこのテレビ画面サイズにあわせて画像信号に対応する全域を表示可能とし、文字欠けなどを解消するようにしている。
【００４６】
また、アンダースキャンのレベルを設定する場合には、図５中に示すデータＡ〜Ｊの任意のデータを書き込んだ上記設定カードを用いて行うことも可能である。この場合、この設定カードをデジタルテレビ放送受信装置２の磁気カードリーダ・ライタ２９に挿入する。そして、磁気カードリーダ・ライタ２９に挿入された設定カードに設定されたデータを制御部２７が読み取り、制御部２７内の不揮発性のフラッシュメモリに記憶させる。更に、通信端子３０からコンピュータ１のＲＳ−２３２Ｃの通信端子１４を経由し、コンピュータ１の制御部１０に、読み取ったデータを通知し設定することによってなされる。なお、図示しないフロントコンピュータからの接続がある場合は、このフロントコンピュータに任意のデータを登録しておき、ＦＳＫ方式のデータ通信を利用することにより、デジタルテレビ放送受信装置２の高周波モデム２６を介し制御部２７にこのデータを送り、制御部２７内の不揮発性のフラッシュメモリに記憶させるようにすることで、上記同様の設定を行うことが可能である。
【００４７】
上述したように、本発明の実施の形態に係る方法においては、上記のような作用により、デジタルテレビ放送受信装置２からの画像と、コンピュータ１からの画像とを、それぞれが専用のディスプレイから表示されている場合と同程度のサイズおよび画質で、同一のテレビ受像機４の画面から出力することが可能となる。
【００４８】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００４９】
【図１】各々の客室にコンピュータとデジタルテレビ放送受信装置とをセットで設置した状態を示す構成例を示すブロック図。
【図２】コンピュータの機能構成をより詳細に示したブロック図。
【図３】デジタルテレビ放送受信装置の機能構成をより詳細に示したブロック図。
【図４】テレビ受像機の画面から表示される画像の一例を示す模式図。
【図５】テレビ受像機の画面から表示される画像の解像度を示すテーブルデータの一例を示す図。
【符号の説明】
【００５０】
１…コンピュータ、２…デジタルテレビ放送受信装置、３…リモートコントローラ、４…テレビ受像機、５…ＬＡＮ回線網、６…同軸伝送ライン、７…客室、１０…制御部、１１…変換部、１２…画像出力端子、１３…接続端子、１４…通信端子、２１…分波器、２２…デジタル放送受信部、２３…切換部、２４…画像出力端子、２５…画像入力端子、２６…高周波モデム、２７…制御部、２８…受信ユニット、２９…磁気カードリーダ・ライタ、３０…通信端子
【図１】
2005278124.tif 000003
【図２】
2005278124.tif 000004
【図３】
2005278124.tif 000005
【図４】
2005278124.tif 000006
【図５】
2005278124.tif 000007